(57)【要約】      （修正有）【課題】ＣＡＴＶ伝送ネットワークシステムに対応し、広域の複数住戸を監視できる最適なセキュリティシステムとセキュリティアダプターを実現する。【解決手段】センターと複数の各住戸の間の通信にＣＡＴＶ伝送ネットワークを利用する。各住戸１は、火災感知器４などのセンサ信号を監視する住戸用受信機３と、住戸用受信機３からのセキュリティ信号をＩＰ変換して出力するセキュリティアダプター７と、ＩＰ変換されたセキュリティ信号を幹線１５を介してセンター２と通信するためのケーブルモデム１１とを備える。ＣＡＴＶセンター２は、幹線１５に接続されるセンターモデム１６と、セキュリティ信号の蓄積及び制御を行うセキュリティ用サーバー１７ａと、セキュリティ信号を報知するセキュリティ監視装置１８と、インターネット用サーバー１７ｂと、インターネット２２と接続するためのルーター２１とを備える。【選択図】図１
2011146055.tif 000002
【特許請求の範囲】
【請求項１】
センターと複数の各住戸との間の通信にＣＡＴＶ伝送ネットワークを利用したＣＡＴＶセキュリティシステムにあって、
前記各住戸は、
火災感知器、ガス漏れ検知器、防犯センサなどのセキュリティセンサと、
前記セキュリティセンサのセンサ信号を監視する住戸用受信機と、
前記住戸用受信機から出力されるセキュリティ信号をインターネットプロトコル変換して出力するセキュリティアダプターと、
前記セキュリティアダプターから出力されるインターネットプロトコル変換されたセキュリティ信号を幹線を介して前記センターに通信するためのケーブルモデムと、
前記ケーブルモデムに接続される集線装置と、
を備え、
前記センターは、
幹線に接続され、各住戸との通信を行うセンターモデムと、
前記住戸から送信されてくるセキュリティ信号の蓄積及び制御を行うセキュリティ用サーバーと、
前記セキュリティ用サーバーのセキュリティ信号を報知するセキュリティ監視装置と、
前記センターモデムと接続されるインターネット用サーバーと、
を備え、
前記各住戸は、前記集線装置を介して前記セキュリティアダプターを接続すると共にパーソナルコンピュータなどのブラウザ機能を備えたインターネット端末を接続可能とし、
前記センターのセキュリティ用サーバーは、前記住戸から送信されてくるセキュリティ信号を受信することで当該セキュリティ信号に基づくＷｅｂページを作成して前記インターネット用サーバーに転送し、
前記のインターネットサーバーは、転送されたＷｅｂページを蓄積すると共にインターネット上に公開し、前記住戸内のパーソナルコンピュータやインターネットに接続されるコンピュータなどのプラウザ機能を備えたインターネット端末からのアクセスがあった場合に前記Ｗｅｂページを出力することを特徴とするＣＡＴＶセキュリティシステム。
【請求項２】
請求項１記載のＣＡＴＶセキュリティシステムにおいて、前記セキュリティアダプターは、
前記住戸用受信機から出力されるセキュリティ信号を受信する受信部と、
前記受信部から出力されるセキュリティ信号からセキュリティ種別を判別し、種別に応じたセキュリティ信号を出力する制御部と、
前記制御部から出力されるセキュリティ信号をＩＰ（インターネットプロトコル）変換して出力するネットワークＩＣと、
前記制御部から指示されたセキュリティの種別に応じた情報を表示する表示部と、
を備え、前記制御部は、セキュリティの種別に応じた表示を前記表示部に行わせる出力を行うことを特徴とするＣＡＴＶセキュリティシステム。
【請求項３】
請求項２記載のＣＡＴＶセキュリティシステムにおいて、
前記センターのセキュリティ用サーバーは、セキュリティ信号を受信した場合に、所定の地域、住戸に対し所定のメッセージ信号を送信し、
前記セキュリティアダプターの制御部は、前記センターからの所定のメッセージ信号を受信した場合に、前記表示部に当該所定のメッセージを表示させることを特徴とするＣＡＴＶセキュリティシステム。
【請求項４】
請求項３記載のＣＡＴＶセキュリティシステムにおいて、
前記センターのセキュリティ用サーバーは、所定のメッセージ信号に表示時間信号を付加して送信し、
前記セキュリティアダプターの制御部は、前記センターからの所定のメッセージ信号を受信した場合に、前記表示部に当該所定のメッセージを表示させると共に前記表示時間信号で設定される表示時間の経過時に当該メッセージ表示を消去させることを特徴とするＣＡＴＶセキュリティシステム。
【請求項５】
請求項２記載のＣＡＴＶセキュリティシステムにおいて、
前記セキュリティ監視装置はマイクを備え、前記セキュリティ用サーバーは前記マイクを介して入力された音声信号を、前記センターモデムを介して幹線に出力し、
前記セキュリティアダプターは音声合成部、アンプ、スピーカを備え、前記制御部は、前記音声信号を受信した場合に、前記音声合成部に出力し、前記スピーカから出力させることを特徴とするＣＡＴＶセキュリティシステム。
【請求項６】
請求項１乃至３のいずれかに記載のＣＡＴＶセキュリティシステムにおいて、
前記セキュリティアダプターは、転送モード設定スイッチを備え、
前記制御部は、前記転送モード設定スイッチが操作されることで転送モードを設定し、このモード状態でセキュリティ信号を送信する場合には、転送モードであることを付加して送信し、
前記センターのセキュリティ用サーバーは、前記転送モードを付加したセキュリティ信号を受信した場合には、予め登録してある通報先に対し、セキュリティ信号の内容を電子メールすることを特徴とするＣＡＴＶセキュリティシステム。
【発明の詳細な説明】
【技術分野】
【０００１】
本発明は、ＣＡＴＶ伝送（ブロードバンド）ネットワークシステムを利用したＣＡＴＶセキュリティシステム及びそこで使用されるセキュリティアダプターに関する。
【背景技術】
【０００２】
従来から、各住戸に設けられる火災感知器、ガス漏れ検知器、防犯センサなどのセキュリティセンサのセキュリティ信号を、ＣＡＴＶラインを利用して、ＣＡＴＶセンターに送信し、警報報知するＣＡＴＶセキュリティシステムがある。
【０００３】
一方、最近、ＣＡＴＶブロードバンドネットワークシステムを利用することで、従来のケーブルテレビ放送サービスだけでなく、デジタル放送サービス、高速のインターネットサービス、電話サービスなどのサービスを行う通信業者が急激に増えつつある。
【先行技術文献】
【特許文献】
【０００４】
【特許文献１】特開２０００−１７２９７０号公報
【特許文献２】特開平１１−８８４０２号公報
【特許文献３】特開平１０−２５７４５８号公報
【特許文献４】特開平２−２８０３００号公報
【特許文献５】特開２００１−１０１５４５号公報
【特許文献６】特開２０００−３１１２８４号公報
【特許文献７】特開平１０−２５７４８３号公報
【発明の概要】
【発明が解決しようとする課題】
【０００５】
このようなＣＡＴＶブロードバンドネットワークシステムに対応し、広域の複数住戸を監視できる最適なセキュリティネットワークシステムの構築が望まれている。
【０００６】
本発明は、ＣＡＴＶ伝送（ブロードバンド）ネットワークシステムに対応し、広域の複数住戸を監視できる最適なＣＡＴＶセキュリティシステム及びセキュリティアダプターを提供することを目的とする。
【課題を解決するための手段】
【０００７】
この目的を達成するため本発明は次のように構成する。
【０００８】
本発明は、センターと複数の各住戸との間の通信にＣＡＴＶ伝送ネットワーク（光同軸ハイブリッド（ＨＦＣ）ネットワーク）を利用したＣＡＴＶセキュリティシステムにあって、各住戸は、火災感知器、ガス漏れ検知器、防犯センサなどのセキュリティセンサと、セキュリティセンサのセンサ信号を監視する住戸用受信機と、住戸用受信機から出力されるセキュリティ信号をＩＰ（インターネットプロトコル）変換して出力するセキュリティアダプターと、セキュリティアダプターから出力されるＩＰ変換されたセキュリティ信号を幹線を介してセンターの通信するためのケーブルモデムと、ケーブルモデムに接続される集線装置（ＨＵＢ）とを備え、一方、センターは、幹線に接続され各住戸との通信を行うセンターモデムと、住戸から送信されてくるセキュリティ信号の蓄積及び制御を行うセキュリティ用サーバーと、セキュリティ用サーバーのセキュリティ信号を報知するセキュリティ監視装置と、センターモデムと接続されるインターネット用サーバーとを備え、各住戸は、集線装置（ＨＵＢ）を介してセキュリティアダプターを接続すると共にパーソナルコンピュータなどのブラウザ機能を備えたインターネット端末を接続可能とし、センターのセキュリティ用サーバーは、住戸から送信されてくるセキュリティ信号を受信することでセキュリティ信号に基づくＷｅｂページを作成してインターネット用サーバーに転送し、インターネット用サーバーは、転送されたＷｅｂページを蓄積すると共にインターネット上に公開し、住戸内のパーソナルコンピュータやインターネットに接続されるコンピュータなどのプラウザ機能を備えたインターネット端末からのアクセスがあった場合にＷｅｂページを出力することを特徴とする。
【０００９】
このような本発明の構成により、ＣＡＴＶブロードバンドネットワークシステムに対応し、広域の複数住戸を監視できる最適なＣＡＴＶセキュリティシステムが構築され、ＣＡＴＶブロードバンドネットワークのケーブルモデムおよびセンターモデムを利用して住戸側及びセンター側のセキュリティシステムの構築に必要な機器を簡単に接続でき、住戸側でネットワーク接続しているパソコンのブラウザによるＷｅｂページの閲覧で詳細なセキュリティ関連情報を容易に見ることができる。
【００１０】
ここで、セキュリティアダプターは、住戸用受信機から出力されるセキュリティ信号を受信する受信部と、受信部から出力されるセキュリティ信号からセキュリティ種別を判別し、種別に応じたセキュリティ信号を出力する制御部と、制御部から出力されるセキュリティ信号をＩＰ（インターネットプロトコル）変換して出力するネットワークＩＣと、制御部から指示されたセキュリティの種別に応じた情報を表示する表示部とを備える。
【００１１】
また、センターのセキュリティ用サーバーは、セキュリティ信号を受信した場合に、所定の地域、住戸に対し所定のメッセージ信号を送信し、セキュリティアダプターの制御部は、センターからの所定のメッセージ信号を受信した場合に、表示部に当該所定のメッセージを表示させる。これにより特定の住戸の火災発生に対し、その地域の他の住戸に火災発場所等を表示し、地域ぐるみの監視ができる。
【００１２】
更に、センターのセキュリティ用サーバーは、所定のメッセージ信号に表示時間信号を付加して送信し、セキュリティアダプターの制御部は、センターからの所定のメッセージ信号を受信した場合に、表示部に当該所定のメッセージを表示させると共に表示時間信号で設定される表示時間の経過時に当該メッセージ表示を消去させる。これによりセンターからの告知放送などのメッセージを住戸側に表示させる時に、表示している時間を自動的に管理でき、必要以上にメッセージ表示が残ることが防止できる。
【００１３】
セキュリティ監視装置はマイクを備え、セキュリティ用サーバーはマイクを介して入力された音声信号を、センターモデムを介して幹線に出力し、セキュリティアダプターは音声合成部、アンプ、スピーカを備え、制御部は、音声信号を受信した場合に、音声合成部に出力し、スピーカから出力させる。これによりセンター側から各住戸に対し、一般告知放送や緊急告知放送などが適切にできる。
【００１４】
セキュリティアダプターは、転送モード設定スイッチを備え、制御部は、転送モード設定スイッチが操作されることで転送モードを設定し、このモード状態でセキュリティ信号を送信する場合には、転送モードであることを付加して送信し、センターのセキュリティ用サーバーは、転送モードを付加したセキュリティ信号を受信した場合には、予め登録してある通報先に対し、セキュリティ信号の内容を電子メールする。これにより住戸からのセキュリティ信号の受信に対しインターネットの電子メールによって必要な登録先に対する自動通報が自動的に行われ、非常事態などに対し迅速且つ適切に対応できる。
【発明の効果】
【００１５】
本発明によれば、光同軸ハイブリッド（ＨＦＣ）ネットワークのようなＣＡＴＶ伝送（ブロードバンド）ネットワークシステムを利用して住戸側のセキュリティ情報をセンター側に送信して監視制御するようにしたことで、住戸側のセキュリティ情報を瞬時にセンター側に伝送することができ、これに対応してセンター側のセキュリティ監視装置からはインターネットに接続された公共機関などの通報先に対しセキュリティ情報を送出することができ、ＣＡＴＶ伝送（ブロードバンド）ネットワークシステムとインターネットの連携による最適なセキュリティシステムを実現することができる。
【００１６】
またセンター側のセキュリティ情報を必要に応じて住戸側のセキュリティアダプターに送信して表示したり音声出力することで、ＣＡＴＶシステムの加入者を対象とした地域的なセキュリティ監視と制御が適切にできる。
【００１７】
更にセンター側でセキュリティ情報のＷｅｂページを提供することで、住戸に設けているセキュリティアダプターの表示機能では知ることのできないような詳細なもしくは全体的なセキュリティ情報を、加入者の保有するパーソナルコンピュータのブラウザ機能を利用して閲覧することができ、インターネットと結合したセキュリティシステムにより、より緻密で正確なセキュリティ情報の提供環境を実現することができる。
【００１８】
また、このＷｅｂページはインターネット上に公開させることもでき、インターネットに接続される消防署、警察、関係者等のコンピュータからもアクセスしてセキュリティ情報を閲覧することもできる。
【図面の簡単な説明】
【００１９】
【図１】本発明によるＣＡＴＶセキュリティシステムの説明図
【図２】図１の住戸側に設置される本発明のセキュリティアダプターのブロック図
【図３】図２のセキュリティアダプターによる表示例の説明図
【図４】センター側のセキュリティ監視装置による監視画面の説明図
【図５】図４の監視画面における警報表示エリアの表示例の説明図
【図６】メイン画面に地図画面を表示した場合の説明図
【図７】メイン画面に履歴画面を表示した場合の説明図
【図８】メイン画面にメッセージ画面を表示した場合の説明図
【図９】メイン画面にユーザ管理画面を表示した場合の説明図
【図１０】メイン画面に告知放送画面を表示した場合の説明図
【発明を実施するための形態】
【００２０】
図１は本発明によるＣＡＴＶセキュリティシステムのシステム構成の説明図である。
【００２１】
図１において、ＣＡＴＶセキュリティシステムは、加入者となる複数の住戸１をブロードバンドの光同軸ハイブリッド（ＨＦＣ）ネットワーク１５を介してＣＡＴＶセンター２に接続している。住戸１には住戸用受信機３が設置され、住戸用受信機３にセキュリティセンサとして火災感知器４、ガス漏れ検知器５及び非常押し釦６を接続している。
【００２２】
住戸用受信機３からのセキュリティ信号はセキュリティアダプター７に接続される。セキュリティアダプター７は住戸用受信機３からのセキュリティ信号をＩＰ変換（インターネットプロトコル変換）して、ＬＡＮケーブル８を用いたイーサネット（Ｒ）（ＬＡＮ）に出力する。
【００２３】
セキュリティアダプター７はＬＡＮケーブル８により集線装置を構成するハブ９を介してケーブルモデム１１に接続されている。ケーブルモデム１１は光同軸ハイブリッドネットワーク１５の加入者となる住戸ごとに設置されており、本発明のＣＡＴＶセキュリティシステムにあっては、ハブ９を設けることで、セキュリティアダプター７を介して住戸用受信機３を接続するとともに、ハブ９に対しては住戸１の加入者が使用しているパーソナルコンピュータ１２を接続している。
【００２４】
ケーブルモデム１１は保安器３３を介して光同軸ハイブリッドネットワーク１５に接続される。また保安器３３からは分岐した同軸ケーブルが引き出され、セットボックス（ＳＴＢ）１４を介してテレビ１３を接続している。
【００２５】
ＣＡＴＶセンター２にはセンターモデム１６が設置され、光同軸ハイブリッドネットワーク１５を介して住戸１のケーブルモデム１１との間で通信を行う。センターモデム１６からのセキュリティ信号は、ＶLＡＮ（バーチャル・ラン）などの伝送路を介して、セキュリティ用サーバー１７ａ及びセキュリティ監視装置１８に接続される。
【００２６】
更にインターネット用サーバー１７ｂ、ルーター２１を介してインターネット２２に接続し、外部のＣＡＴＶネットワーク２４、非常通報先となる公共機関２３、例えば消防署、警察、消防団や関係者などとの間で、インターネットを利用した情報のやり取りができるようにしている。
【００２７】
セキュリティ用サーバー１７ａは各住戸から送信されてくるセキュリティ信号の蓄積及び制御を行う。セキュリティ監視装置１８はセキュリティ用サーバー１７で蓄積・制御されているセキュリティ信号を報知するもので、モニター２０による表示と、更に告知放送のためのマイク１９、更にプリンタなどを備えている。
【００２８】
図２は図１の住戸１に設置されたセキュリティアダプター７の実施形態を示したブロック図である。
【００２９】
図２において、セキュリティアダプター７には、ＭＰＵを用いた制御部２５、住戸用受信機３からのセキュリティ信号を受信するセキュリティ信号受信部３０、ＩＰアドレス（ＭＡＣアドレス）の設定が行われて、ＩＰ変換によりコネクタ３２により接続されたイーサネット（Ｒ）などのＬＡＮを介してセンター側との間で通信を行うネットワークＩＣ３１、セキュリティ信号や各種のメッセージ情報を表示するための液晶表示部３５、メッセージスイッチ３４ａ，点検スイッチ３４ｂ，メールスイッチ３４ｃを備えた操作部３４、音声告知放送のための音声合成データを作成する音声合成ＩＣ３６、アンプ３７及びスピーカ３８、更に電源部４０を備える。
【００３０】
電源部４０に対しては外部にＡＣ−ＤＣコンバータ３９が設けられ、商用ＡＣ１００ボルトを例えばＤＣ５ボルトに変換し、電源部４０に供給している。電源部４０にはコンデンサＣ、ツェナダイオードＺＤ、抵抗Ｒに接続された電源灯としてのＬＥＤが設けられ、各回路部に電源電圧＋Ｖｃｃを供給している。
【００３１】
ここで図１のＣＡＴＶセキュリティシステムにおける火災などの警報発生時の処理動作を説明すると次のようになる。住戸１で例えば火災感知器４が火災を感知すると、センサ信号が住戸用受信機３に送出される。住戸用受信機３は火災感知器４からのセンサ信号を受信すると、住戸１内に火災警報を行うと共に、セキュリティアダプター７に対し火災信号を出力する。
【００３２】
セキュリティアダプター７は受信した信号が火災信号であることを判別し、ＩＰ変換して、火災種別を示すセキュリティ信号として、ＬＡＮケーブル８のイーサネット（Ｒ）からハブ９、ケーブルモデム１１、更に保安器３３を介して光同軸ハイブリッドネットワーク１５に送出する。
【００３３】
この住戸１からの火災を示すセキュリティ信号はＣＡＴＶセンター２のセンターモデム１６で受信・復調され、セキュリティ用サーバー１７ａに送られ、更にセキュリティ用サーバー１７ａからセキュリティ監視装置１８に送られる。セキュリティ監視装置１８は、受信したセキュリティ信号の内容をモニター２０に表示する。
【００３４】
併せてセキュリティ用サーバー１７ａは、異常発生住戸に対応して予め登録してある消防、警察、関係者、住人の携帯電話などの関係先に対する自動通報を行うため、セキュリティ信号の内容を含む電子メールを生成し、インターネット用サーバー１７ｂに受け渡す。インターネット用サーバー１７ｂは受け取った電子メールをルーター２１を介してインターネットに送信する。
【００３５】
セキュリティ監視装置１８の操作者はモニター２０で火災の発生を確認し、これに伴い火災確認操作を行うと、火災発生住戸を含む予め定めた火災発生地域に含まれている住戸１のセキュリティアダプター７に対しセキュリティメッセージ情報の送信を行う。この場合に、必要があれば緊急告知放送などの制御を行い、マイク１９あるいはセキュリティ監視装置１８に予め記憶している音声メッセージ情報を住戸１側に送信する。
【００３６】
ＣＡＴＶセンター２のセキュリティ監視装置１８からのメッセージや告知放送の情報を受けたセキュリティアダプター７は、受信した制御情報の内容に従って、図２のセキュリティアダプター７に設けている液晶表示部３５に対するメッセージ表示や、音声合成ＩＣ３６、アンプ３７及びスピーカ３８により緊急告知放送の音声出力などを行う。
【００３７】
またＣＡＴＶセンター２のセキュリティ用サーバー１７ａにあっては、住戸１側から送信されてくるセキュリティ信号を受信することで、セキュリティ信号に関するＷｅｂページを作成して、インターネット用サーバー１７ｂに転送する機能を備えている。
【００３８】
インターネット用サーバー１７ｂは転送されたＷｅｂページを蓄積すると共にインターネット上に公開する機能を持つため、これによって住戸１内のパーソナルコンピュータ１２やインターネットに接続される消防署、警察、関係者等のコンピュータなどのブラウザ機能を備えたインターネット端末からのアクセスがあった場合に、インターネット用サーバー１７ｂでＷｅｂページを送って、セキュリティ情報の閲覧がいつでもできる。
【００３９】
次に図２のセキュリティアダプター７の制御機能を詳細に説明する。セキュリティアダプター７の制御部２５には、セキュリティ送信部２６、メッセージ処理部２７、表示時間管理部２８及び転送モード処理部２９等の各機能が設けられている。
【００４０】
まずセキュリティ送信部２６は、セキュリティ信号受信部３０で受信した住戸用受信機３からのセキュリティ信号、この実施形態にあっては火災信号、ガス漏れ信号、非常信号、防犯信号、その他の信号を受信して、受信したセキュリティ信号からセキュリティの種別を判別し、種別に応じたセキュリティ信号をネットワークＩＣ３１に出力する。ネットワークＩＣ３１にあっては、制御部２５から出力されたセキュリティ種別に応じたセキュリティ信号をＩＰ変換してセンター側に送信する。
【００４１】
制御部２５のメッセージ処理部２７は、センター側から受信したメッセージを含む各種の表示処理を液晶表示部３５に対し行う。このメッセージ処理部２７による表示処理は、
（１）状態表示
（２）メッセージ表示
（３）制御表示
（４）通信モニター表示
が含まれる。
【００４２】
まず状態表示は、セキュリティ信号受信部３０からのセキュリティ信号からセキュリティ種別を判別し、判別したセキュリティ種別を表示する。ここでセキュリティ信号の種別としては、火災、ガス漏れ、非常、防犯、その他であることから、例えば火災時にあっては図３（Ａ）の状態表示３５ａのように「カサイ」を表示する。
【００４３】
ここで液晶表示部３５としては例えば１６字×２行程度の比較的表示量が少ない簡単な表示器を使用している。状態表示３５ａにあっては、これ以外に「ガスモレ」「イジョウ」「ボウハン」などの状態表示が行われる。
【００４４】
次のメッセージ表示は、センター側から送られてくるメッセージデータに従った表示を、例えば図３（Ｂ）のメッセージ表示３５ｂのように行う。このメッセージ表示３５ｂはセンター側からの告知表示であり、加入者となる住戸に対し資源ゴミ回収の日を知らせる。
【００４５】
次に制御状態は、センター側から送られてくる制御コマンドによって、例えば図３（Ｃ）のように「イッパンコクチホウソウ」とする制御表示を行う。
【００４６】
更に通信モニター表示は、送信、受信、転送モードに対応したメールのオン／オフ、更に点検などの情報を表示する。図３（Ｄ）に示す通信モニター表示３５ｄにあっては、住戸側からのセキュリティ信号の送信を示し、同時にメールスイッチ３４ｃの操作によってメールの転送モードであることを示している。
【００４７】
更に、同時に複数の表示制御が生じた場合には、「状態表示」「メッセージ表示」「制御表示」「通信モニター表示」の順番に従った優先度に応じて表示を行う。このメッセージ処理部２７による液晶表示部３５に対するセンター側からのメッセージ表示に対応して、操作部３４にメッセージスイッチ３４ａが設けられている。
【００４８】
メッセージスイッチ３４ａは液晶表示部３５に表示されたメッセージの切替えと消去を行う。即ち液晶表示部３５にあっては、図３のように表示文字数に制限があることから、複数の表示内容がある場合にはメッセージスイッチ３４ａの操作で順次切り替えることができる。また必要のない表示については、メッセージスイッチの消去操作で削除することができる。
【００４９】
セキュリティアダプター７の制御部２５に設けている表示時間管理部２８は、メッセージ処理部２７で液晶表示部３５に表示しているメッセージ情報の時間管理を行う。例えば図３（Ｂ）のようなメッセージ表示３５ｂについて、センター側から送信する際に例えば２４時間といった表示時間信号がメッセージ情報と共に送られてきており、この表示時間に基づいた管理を表示時間管理部２８で行う。
【００５０】
即ち、メッセージ受信した際にタイマを起動し、センター側から指示された表示時間に達したときに対応するメッセージの消去を自動的に行う。これによってセキュリティアダプター７にあっては、センターからのメッセージを必要な時間だけ液晶表示部３５に表示することができる。
【００５１】
セキュリティアダプター７の制御部２５に設けた転送モード処理部２９は、操作部３４に設けているメールスイッチ３４ｃの操作により転送モードを設定し、この転送モードの状態にあってはセキュリティ送信部２６からセキュリティ信号を送信する際に、転送モードであることを示す情報を付加してセンター側に送信する。
【００５２】
この転送モードの付加情報を持つセキュリティ情報を受信したＣＡＴＶセンター２のセキュリティ用サーバー１７ａは、予め登録してある通報先に対しセキュリティ信号の内容を電子メールによって送信する電子メール通信処理を実行する。
【００５３】
更にセキュリティアダプター７の制御部２５にあっては、センター側からのコマンドによって制御される制御出力を備える。この制御出力として、この実施形態にあっては、アンプ３７に対する制御信号による音量コントロールを行っている。
【００５４】
例えばセンター側から一般告知放送の制御信号を受信した場合には、アンプ３７に対するボリュームコントロール信号は中程度の音量とするように制御される。これに対し緊急告知放送の制御信号を受信した場合には、ボリュームコントロール信号は最大音量とするように制御する。
【００５５】
更にセキュリティアダプター７の操作部３４に設けている点検スイッチ３４ｂは、点検時にオンすることで、制御部２５に点検モードを設定し、点検モード中は外部への出力を禁止状態とする。
【００５６】
次に図１のＣＡＴＶセンター２に設置されているセキュリティ監視装置１８における監視表示機能を詳細に説明する。
【００５７】
図４はＣＡＴＶセンター２のセキュリティ監視装置１８に設けているモニター２０に表示する監視画面４２の一例である。この監視画面４２は、メニュー表示エリア４３、メイン画面４４及び警報表示エリア４５で構成されている。
【００５８】
メニュー表示エリア４３には、メイン画面４４で何を表示するかを選択するメニュー項目が表示されている。この例ではメニュー項目として、地図４６、履歴４７、メッセージ４８、告知放送４９及びユーザ管理５０が表示されている。
【００５９】
地図４６を選択することで地図画面がメイン画面４４に表示される。履歴４７を選択することで履歴画面がメイン画面４４に表示される。メッセージ４８を選択することでメッセージ送信画面がメイン画面４４に表示される。告知放送４９を選択することで告知放送画面がメイン画面４４に表示される。更にユーザ管理５０を選択することでユーザ情報を入力するための画面がメイン画面４４に表示される。
【００６０】
図５は図４の監視画面４２の下側の警報表示エリア４５の具体的な表示例である。図５（Ａ）は住戸側から受信したセキュリティ信号の受信内容に応じて、入力したセキュリティ信号の情報を順次表示している。この警報表示エリア４５は左側から、イベント発生時刻４５ａ、イベント内容４５ｂ、イベント発生地区４５ｃ、イベント発生ユーザ名４５ｄ、及び警報処理ボタン４５ｅには「地図詳細」「メッセージ」「復旧」「放送」などのパターンが示される。
【００６１】
ここで警報処理ボタン「復旧」をクリックすると、その表示が消去される。警報処理ボタン「地図詳細」をクリックすると図４のメイン画面４４に後の説明で明らかにする地図画面が表示される。警報処理ボタン「メッセージ」をクリックすると、例えば図５（Ｂ）のようなメッセージを住戸１のセキュリティアダプター７に送信して液晶表示部３５に表示させる。
【００６２】
警報処理ボタン「放送」をクリックすると、例えば火災発生住戸の近隣の住戸に設けているセキュリティアダプター７に緊急告知放送の指令を送信し、更に予め記憶しておいた音声警報メッセージ「○○マチ１−２−３ ニホンタロウ サマタクデ カサイ ハッセイ」などの警報を送信し、音声警報を出力する。
【００６３】
図６は図４の監視画面４２で地図４６をメニュー選択したときの地図画面５１の例である。地図画面５１は左側の全体地図５２の中の斜線部で示す異常発生住戸を含む５２ａの領域に対応した詳細地図５４と、更に詳細地図５４の中の住戸のマークをクリックした際の対応するユーザ情報表示５３が行われる。
【００６４】
この詳細地図５４にあっては、異常発生住戸５５がフリッカしており、この異常発生住戸５５をマウスクリックすると、ユーザ表示部５３に下側に拡大して示すようにユーザ情報を表示される。
【００６５】
図７は図４の監視画面４２で履歴４７をメニュー選択した場合の履歴画面５６の例である。この履歴画面５６は、イベント発生時刻表示５６ａ、イベント内容表示５６ｂ、イベント発生地区表示５６ｃ及びイベント発生ユーザ表示５６ｄの項目から構成されている。
【００６６】
また複数の履歴項目がある場合にはスクロール表示が可能である。更に原則としてイベント発生時順に表示しているが、これ以外にセキュリティ種別、例えば火災だけに絞って表示することも可能である。
【００６７】
図８は図４の監視画面４２でメッセージ４８をメニュー選択した場合のメッセージ画面５８の例である。このメッセージ画面５８は、メッセージを送信する地区名を選択する地区選択５８ａ、メッセージを送信するユーザ名を選択するユーザ選択５８ｂ、メッセージを送信後、送信先のセキュリティアダプター７でメッセージの表示を何時間保持するかの時間設定を行う表示時間５８ｃ、住戸用のセキュリティアダプター７の液晶表示部３５に対応した文字数、例えば１６文字×２行の入力枠を備えた送信メッセージ５８ｄ、更に送信ボタン５８ｅで構成されている。
【００６８】
地区名５８ａ及びユーザ名５８ｂについては、特定の地区を選択することもできるし、図示のように全てを選択することもできる。表示時間５８ｃにあっては、たとえば、最小１時間単位で最大１週間分の時間の範囲で任意の時間が選択できる。いま図８（Ａ）のようなメッセージ画面５８の設定状態で送信ボタン５８ｅを押すと、全ての住戸のセキュリティアダプター７に対しメッセージ送信が行われ、この場合の表示時間５８ｃは２４時間であることから、送信から２４時間後にセキュリティアダプター７側でこの表示は自動的に消去されることになる。
【００６９】
図９は図４の監視画面４２でユーザ管理５０をメニュー選択した場合のユーザ管理画面５７の例である。このユーザ管理画面５７はユーザ選択５７ａとユーザ情報５７ｂで構成されている。
【００７０】
ユーザ名はユーザ選択５７ａの対応するＩＤの部分にそれを選択してユーザ名を入力する。このようにしてユーザ名の入力でＩＤが決まると、ユーザ情報５７ｂが対応表示され、住所、電話番号、生年月日、同居人数、緊急メッセージに含めるメッセージ内容、メールスイッチによる転送モードの設定による電子メールの送信アドレス、更に備考として、この例では緊急連絡先などのユーザ情報が入力できる。
【００７１】
図１０は図４の監視画面４２で告知放送４９をメニュー選択した場合の告知放送画面５９の例である。この告知放送画面５９にあっては、放送種別／エリア選択５９ａと放送ＯＮ／ＯＦＦ５９ｂの項目で構成されている。放送種別／エリア選択は基本的には一般放送と緊急放送のいずれかの選択を行う。
【００７２】
これに加えて必要に応じてブロック放送やグループ放送の機能も加えることができる。一般放送または緊急放送を選択した状態で放送開始をクリックすると、図示のように、その上に「放送中」の表示が行われ、住戸側のセキュリティアダプター７に対し図１のセキュリティ監視装置１８に設けているマイク１９をオンし、マイク１９からの音声信号をデジタル符号化して住戸１のセキュリティアダプター７に送信することになる。放送終了をクリックすると、放送中の表示を消去し、住戸１のセキュリティアダプター７に対する制御をオフとする。
【００７３】
なお上記の実施形態にあっては、ＣＡＴＶセンター２側のセキュリティ監視装置１８で地図画面、履歴画面、メッセージ画面、告知放送画面、ユーザ管理画面を使用した各種のセキュリティ監視処理を行うようにしているが、本発明はこれに限定されず、必要に応じて適宜のセキュリティ監視処理を適用することができる。
【００７４】
また上記の実施形態にあっては、住戸用受信機３に対し独立にセキュリティアダプター７を設けているが、このセキュリティアダプター７の機能を住戸用受信機３に内蔵させるようにしてもよい。
【００７５】
また上記の実施形態にあっては、ＣＡＴＶセンター２に、セキュリティ情報の監視制御を行うセキュリティ用サーバー１７ａと、インターネットに関する監視制御を行うインターネット用サーバー１７ｂの２つのサーバーを設けているが、サーバーを１つにし、両方の機能を持たせるようにしても良い。
【符号の説明】
【００７６】
１：住戸
２：ＣＡＴＶセンター
３：住戸用受信機
４：火災感知器
５：ガス検知器
６：非常押し釦
７：セキュリティアダプター
８：同軸ケーブル
９：ハブ（集線装置）
１０：ケーブルモデム
１１：保安器
１２：パーソナルコンピュータ
１３：テレビ
１４：セットボックス（ＳＴＢ）
１５：光同軸ハイブリッド（ＨＦＣ）ネットワーク
１６：センターモデム
１７：セキュリティ用サーバー
１８：セキュリティ監視装置
１９：マイク
２０：モニタ
２１：ルーター
２２：インターネット
２３：公共機関
２４：ＣＡＴＶネットワーク
２５：制御部
２６：セキュリティ送信部
２７：メッセージ処理部
２８：表示時間管理部
２９：転送モード処理部
３０：セキュリティ信号受信部
３１：ネットワークＩＣ
３２：コネクタ
３４：操作部
３４ａ：メッセージスイッチ
３４ｂ：点検スイッチ
３４ｃ：メールスイッチ
３５：液晶表示部
３６：音声合成ＩＣ
３７：アンプ
３８：スピーカー
３９：ＡＣ／ＤＣコンバターター
４０：電源部
４２：監視画面
４３：メニュー表示エリア
４４：メイン画面
４５：警報表示エリア
４６：地図
４７：履歴
４８：メッセージ
４９：告知放送
５０：ユーザ管理
５１：地図画面
５２：全体地図
５３：ユーザ情報表示
５４：詳細地図
５５：異常発生住戸
５６：履歴画面
５７：メッセージ画面
５８：ユーザ管理画面
５９：告知放送画面
【図１】
2011146055.tif 000003
【図２】
2011146055.tif 000004
【図３】
2011146055.tif 000005
【図４】
2011146055.tif 000006
【図５】
2011146055.tif 000007
【図６】
2011146055.tif 000008
【図７】
2011146055.tif 000009
【図８】
2011146055.tif 000010
【図９】
2011146055.tif 000011
【図１０】
2011146055.tif 000012